(57)【要約】【課題】缶蓋に開口を形成する際に要する、タブの操作の簡略化を図る。【解決手段】パネル４００の表面にはスコア線４３０が形成されている。スコア線４３０は、パネル４００の表面に形成された溝により構成されており、パネル４００の破断を誘導する役割を果たす。スコア線４３０には、第１部位４３０Ａと、第２部位４３０Ｂと、第３部位４３０Ｃとが設けられている。第１部位４３０Ａおよび第２部位４３０Ｂの各々は、タブ５００の先端部５１０側から被操作部５０５側に向かって進行し、最終的には、被操作部５０５の裏側まで達している。【選択図】図１
2016000621.tif 000002
【特許請求の範囲】
【請求項１】
缶胴の開口に取り付けられるパネルと、
一端部および他端部を有し、当該一端部と当該他端部との間に位置する部位がリベットによって前記パネルに固定され、当該パネルの予め定められた押圧箇所を当該他端部で押圧するタブと、
前記パネルに形成されたスコア線であって、前記タブの一方の脇を通って当該タブの前記一端部側に向かう第１の部位と、当該タブの他方の脇を通って当該タブの当該一端部側に向かう第２の部位と、当該タブの前記他端部側にて当該第１の部位と当該第２の部位とを接続し且つ当該タブの外周縁の外側を通過するように形成された第３の部位と、を有するスコア線と、
を備え、
前記一端部側に向かう前記第１の部位および前記第２の部位の各々は、当該一端部を超える箇所、当該一端部が位置する箇所、および、当該一端部の脇に位置する箇所の何れかまで達するように形成されていることを特徴とする缶蓋。
【請求項２】
前記第１の部位および前記第２の部位のうちの一方の部位は、曲率を有し進行方向を途中で変えて他方の部位に対し向かうように形成され、
又は、
前記第１の部位および前記第２の部位のうちの一方の部位は、曲率を有し進行方向を途中で変えて他方の部位に対し向かうように形成され、当該他方の部位も、曲率を有し進行方向を途中で変えて当該一方の部位に対し向かうように形成されていることを特徴とする請求項１に記載の缶蓋。
【請求項３】
前記タブは、前記パネルの一方の面および他方の面のうちの当該一方の面側に取り付けられ、
前記スコア線における前記パネルの破断によって、当該パネルの一部により構成され且つ舌片状に形成された舌片状部位が生じ、
前記舌片状部位は、操作者による前記タブの操作により、前記パネルの前記他方の面側に曲げられ、
前記タブは、前記舌片状部位とともに移動し、前記パネルの他方の面側に移動することを特徴とする請求項１に記載の缶蓋。
【請求項４】
前記パネルの前記他方の面側に前記タブが移動した状態において、当該タブの前記一端部は、当該他方の面側に位置せずに前記一方の面側に位置することを特徴とする請求項３に記載の缶蓋。
【請求項５】
前記パネルの前記押圧箇所には、前記タブ側に向かって突出した突起が設けられていることを特徴とする請求項１乃至４の何れかに記載の缶蓋。
【請求項６】
前記タブの前記他端部には、前記パネル側に向かって突出した突起が設けられていることを特徴とする請求項１乃至４の何れかに記載の缶蓋。
【請求項７】
前記パネルのうち、前記スコア線の前記第３の部位が設けられている箇所は、当該パネルの他の箇所よりも肉厚が小さくなっていることを特徴とする請求項１乃至６の何れかに記載の缶蓋。
【請求項８】
前記パネルの前記押圧箇所と、前記リベットとの間を通過するように形成され、且つ、前記スコア線に接続された第２のスコア線を更に備えることを特徴とする請求項１乃至７の何れかに記載の缶蓋。
【請求項９】
飲料が収容される缶胴と、当該缶胴の開口に取り付けられる缶蓋と、を備え、
前記缶蓋は、
前記缶胴の開口に取り付けられるパネルと、
一端部および他端部を有し、当該一端部と当該他端部との間に位置する部位がリベットによって前記パネルに固定され、当該パネルの予め定められた押圧箇所を当該他端部で押圧するタブと、
前記パネルに形成されたスコア線であって、前記タブの一方の脇を通って当該タブの前記一端部側に向かう第１の部位と、当該タブの他方の脇を通って当該タブの当該一端部側に向かう第２の部位と、当該タブの前記他端部側にて当該第１の部位と当該第２の部位とを接続し且つ当該タブの外周縁の外側を通過するように形成された第３の部位と、を有するスコア線と、
を備え、
前記一端部側に向かう前記第１の部位および前記第２の部位の各々は、当該一端部を超える箇所、当該一端部が位置する箇所、および、当該一端部の脇に位置する箇所の何れかまで達するように形成されていることを特徴とする飲料缶。
【請求項１０】
前記スコア線における前記パネルの破断によって、当該パネルの一部により構成され且つ舌片状に形成された舌片状部位が生じ、
前記舌片状部位は、操作者による前記タブの操作により、前記飲料缶の内部に入り込み、
前記タブは、前記舌片状部位とともに移動し、前記飲料缶の内部に入り込むことを特徴とする請求項９に記載の飲料缶。
【請求項１１】
前記飲料缶の内部に前記タブが入り込んだ状態において、当該タブの前記一端部は、当該飲料缶の内部に入り込まずに当該飲料缶の外部に位置することを特徴とする請求項１０に記載の飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
一般に、飲料缶に用いられる缶蓋では、タブが取り付けられており、このタブが操作者によって引き起こされることで、飲み口となる開口が形成される。ここで、タブの引き起こしを行うと、缶蓋の表面からタブが突出した状態となるため、通常、タブの引き起こし操作の後には、タブを寝かす操作が必要となる。
本発明の目的は、缶蓋に開口を形成する際に要する、タブの操作の簡略化を図ることにある。
【課題を解決するための手段】
【０００５】
本発明が適用される缶蓋は、缶胴の開口に取り付けられるパネルと、一端部および他端部を有し、当該一端部と当該他端部との間に位置する部位がリベットによって前記パネルに固定され、当該パネルの予め定められた押圧箇所を当該他端部で押圧するタブと、前記パネルに形成されたスコア線であって、前記タブの一方の脇を通って当該タブの前記一端部側に向かう第１の部位と、当該タブの他方の脇を通って当該タブの当該一端部側に向かう第２の部位と、当該タブの前記他端部側にて当該第１の部位と当該第２の部位とを接続し且つ当該タブの外周縁の外側を通過するように形成された第３の部位と、を有するスコア線と、を備え、前記一端部側に向かう前記第１の部位および前記第２の部位の各々は、当該一端部を超える箇所、当該一端部が位置する箇所、および、当該一端部の脇に位置する箇所の何れかまで達するように形成されていることを特徴とする缶蓋である。
ここで、前記第１の部位および前記第２の部位のうちの一方の部位は、曲率を有し進行方向を途中で変えて他方の部位に対し向かうように形成され、又は、前記第１の部位および前記第２の部位のうちの一方の部位は、曲率を有し進行方向を途中で変えて他方の部位に対し向かうように形成され、当該他方の部位も、曲率を有し進行方向を途中で変えて当該一方の部位に対し向かうように形成されていることを特徴とすることができる。
また、前記タブは、前記パネルの一方の面および他方の面のうちの当該一方の面側に取り付けられ、前記スコア線における前記パネルの破断によって、当該パネルの一部により構成され且つ舌片状に形成された舌片状部位が生じ、前記舌片状部位は、操作者による前記タブの操作により、前記パネルの前記他方の面側に曲げられ、前記タブは、前記舌片状部位とともに移動し、前記パネルの他方の面側に移動することを特徴とすることができる。この場合、タブの製造工程に起因してタブに生じる突起を缶本体の内部に入れ込むことができる。
また、前記パネルの前記他方の面側に前記タブが移動した状態において、当該タブの前記一端部は、当該他方の面側に位置せずに前記一方の面側に位置することを特徴とすることができる。この場合、タブを操作する操作者の指が缶本体の内部に入りにくくなる。
また、前記パネルの前記押圧箇所には、前記タブ側に向かって突出した突起が設けられていることを特徴とすることができる。この場合、スコア線におけるパネルの破断が生じやすくなる。
また、前記タブの前記他端部には、前記パネル側に向かって突出した突起が設けられていることを特徴とすることができる。この場合、スコア線におけるパネルの破断が生じやすくなる。
また、前記パネルのうち、前記スコア線の前記第３の部位が設けられている箇所は、当該パネルの他の箇所よりも肉厚が小さくなっていることを特徴とすることができる。この場合、スコア線におけるパネルの破断が生じやすくなる。
また、前記パネルの前記押圧箇所と、前記リベットとの間を通過するように形成され、且つ、前記スコア線に接続された第２のスコア線を更に備えることを特徴とすることができる。この場合、第２のスコア線が形成されていない場合に比べ、タブの操作荷重を低減できる。
また、本発明を飲料缶として捉えた場合、本発明が適用される飲料缶は、飲料が収容される缶胴と、当該缶胴の開口に取り付けられる缶蓋と、を備え、前記缶蓋は、前記缶胴の開口に取り付けられるパネルと、一端部および他端部を有し、当該一端部と当該他端部との間に位置する部位がリベットによって前記パネルに固定され、当該パネルの予め定められた押圧箇所を当該他端部で押圧するタブと、前記パネルに形成されたスコア線であって、前記タブの一方の脇を通って当該タブの前記一端部側に向かう第１の部位と、当該タブの他方の脇を通って当該タブの当該一端部側に向かう第２の部位と、当該タブの前記他端部側にて当該第１の部位と当該第２の部位とを接続し且つ当該タブの外周縁の外側を通過するように形成された第３の部位と、を有するスコア線と、を備え、前記一端部側に向かう前記第１の部位および前記第２の部位の各々は、当該一端部を超える箇所、当該一端部が位置する箇所、および、当該一端部の脇に位置する箇所の何れかまで達するように形成されていることを特徴とする飲料缶である。
ここで、前記スコア線における前記パネルの破断によって、当該パネルの一部により構成され且つ舌片状に形成された舌片状部位が生じ、前記舌片状部位は、操作者による前記タブの操作により、前記飲料缶の内部に入り込み、前記タブは、前記舌片状部位とともに移動し、前記飲料缶の内部に入り込むことを特徴とすることができる。この場合、タブの製造工程に起因してタブに生じる突起を飲料缶の内部に入れ込むことができる。
また、前記飲料缶の内部に前記タブが入り込んだ状態において、当該タブの前記一端部は、当該飲料缶の内部に入り込まずに当該飲料缶の外部に位置することを特徴とすることができる。この場合、タブを操作する操作者の指が飲料缶の内部に入りにくくなる。
【発明の効果】
【０００６】
本発明によれば、缶蓋に開口を形成する際に要する、タブの操作の簡略化を図ることができる。
【図面の簡単な説明】
【０００７】
【図１】本実施の形態が適用される飲料缶の上面図および側面図である。
【図２】タブが取り付けられる前の缶蓋の正面図である。
【図３】（Ａ）、（Ｂ）、（Ｃ）は、タブが操作者により操作された際の各部の動きを示した図である。
【図４】タブの製造工程の一例を説明する図である。
【図５】タブの製造工程の一例を説明する図である。
【図６】缶蓋の他の構成例を示した図である。
【図７】缶蓋の他の構成例を示した図である。
【図８】缶蓋の他の構成例を示した図である。
【図９】缶蓋の他の構成例を示した図である。
【図１０】缶蓋の他の構成例を示した図である。
【発明を実施するための形態】
【０００８】
以下、添付図面を参照して、本発明の実施の形態について詳細に説明する。
図１は、本実施の形態が適用される飲料缶１００の上面図および側面図である。なお、同図（Ａ）は、上面図であり、同図（Ｂ）は、飲料缶１００の上部の側面図である。
本実施形態の飲料缶１００は、同図（Ａ）に示すように、上部に開口を有するとともに下部に底部を有し且つ筒状に形成された容器本体（缶胴）２００と、容器本体２００の開口に取り付けられこの開口を塞ぐ缶蓋３００とを有している。なお、飲料缶１００の内部には、清涼飲料、炭酸飲料、アルコール飲料などの飲料が収容される。
【０００９】
缶蓋３００は、基板として機能し容器本体２００に取り付けられる円盤状のパネル４００を有している。また、缶蓋３００には、操作者により操作されるタブ５００が取り付けられている。タブ５００は、操作者によって一端部（図中、左端部）が操作されることで（持ち上げられることで）、パネル４００のうちの予め定められた押圧箇所（後述）に対して他端部（右端部、先端部）を押し付け、パネル４００を押圧する。なお、本明細書では、タブ５００の図中左端部を被操作部５０５と称し、タブ５００の図中右端部を先端部５１０と称する。
【００１０】
タブ５００は、パネル４００の中央部からずれた位置に設けられたリベット９００によってパネル４００に固定されている。付言すると、タブ５００は、パネル４００に対して偏心した状態で設けられたリベット９００によってパネル４００に固定されている。さらに、タブ５００は、被操作部５０５と先端部５１０との間に位置する部位が、リベット９００によってパネル４００に固定されている。
【００１１】
また、タブ５００には、このタブ５００の外周縁に対して曲げ加工（カール加工）が施され、タブ５００の外周縁が内側にカールした状態となっている。付言すると、タブ５００の外周縁には、カール部が形成されている。これにより、本実施形態では、タブ５００の曲げ剛性が高められている。
【００１２】
さらに、タブ５００には、先端部５１０が設けられている側とは反対側（被操作部５０５側）に、操作者の指が引っ掛けられる貫通孔（フィンガーホール）５３０が形成されている。また、タブ５００には、タブ５００の厚さ方向に貫通する貫通部５６０が設けられている。本実施形態では、この貫通部５６０が設けられていることによって、タブ５００を引き起こす際に、タブ５００とパネル４００との間に、操作者の指が入りやすくなる。この貫通部５６０は、Ｕ字状に形成されリベット９００を取り囲むように形成されている。
【００１３】
さらに、タブ５００には、タブ５００の長手方向に沿って形成され、被操作部５０５側と先端部５１０側とを接続する第１側辺５８１が設けられている。また、この第１側辺５８１とは反対側には、第２側辺５８２が設けられている。この第２側辺５８２は、第１側辺５８１と同様、タブ５００の長手方向に沿って形成され、被操作部５０５側と先端部５１０側とを接続する。
なお、本実施形態では、先端部５１０が円弧状に形成されたタブ５００を例示するが、タブ５００は、矩形状に形成することもでき、この場合は、タブ５００の先端部５１０が直線状となる。
【００１４】
図２は、タブ５００が取り付けられる前の缶蓋３００の正面図である。
本実施形態の缶蓋３００は、円盤状に形成されたパネル４００を備えている。このパネル４００は、曲げ加工が施された外周縁４１０を有している。本実施形態では、この外周縁４１０と容器本体２００（図１参照）の上縁部（不図示）とが互いに接触した状態で、この外周縁４１０および上縁部に対し、いわゆる巻き締め加工が施される。これにより、缶蓋３００（パネル４００）が容器本体２００の上縁部に固定される。
【００１５】
さらに、缶蓋３００には、タブ５００がパネル４００に固定される際に押しつぶされ、上述したリベット９００（図１参照）となる突出部（ニップル）４２０が形成されている。この突出部４２０は、パネル４００の中心部ＣＰから外れた箇所に設けられている。また、パネル４００の表面にはスコア線４３０が形成されている。
【００１６】
スコア線４３０は、パネル４００の表面に形成された溝により構成されており、パネル４００の破断（後述）を誘導する役割を果たす。付言すると、スコア線４３０は、パネル４００の破断が予定されている破断予定線として捉えることができる。さらに説明すると、スコア線４３０は、タブ５００がパネル４００を押圧することにより発生するパネル４００の破断が、パネル４００の予め定められた箇所に生じるように、この破断を促す役割を有する。
【００１７】
スコア線４３０には、第１部位４３０Ａと、第２部位４３０Ｂと、第３部位４３０Ｃとが設けられている。
第１部位４３０Ａは、図１に示すように、タブ５００よりも図中上方に配置される。さらに、この第１部位４３０Ａは、タブ５００の一方の脇を通過するように形成されている。より具体的には、タブ５００が有する第１側辺５８１の脇を通過するように形成されている。
【００１８】
さらに説明すると、第１部位４３０Ａは、この第１側辺５８１の脇を通過するに際して、図中右方から左方に向かって進行し、さらに、進行方向における下流側に終端３０Ｅを有している。付言すると、第１部位４３０Ａは、第１側辺５８１の脇を通過するに際して、タブ５００の先端部５１０側から被操作部５０５側に向かって進行し、進行方向下流側に、終端３０Ｅを有している。
【００１９】
第２部位４３０Ｂは、タブ５００よりも図中下方に配置される。さらに、この第２部位４３０Ｂは、タブ５００の他方の脇を通過するように形成されている。より具体的には、タブ５００が有する第２側辺５８２の脇を通過するように形成されている。さらに、第２部位４３０Ｂは、この第２側辺５８２の脇を通過するに際して、図中右方から左方に向かって進行し、さらに、進行方向における下流側に終端３０Ｆを有している。付言すると、第２部位４３０Ｂは、第２側辺５８２の脇を通過するに際して、タブ５００の先端部５１０側から被操作部５０５側に向かって進行し、進行方向下流側に、終端３０Ｆを有している。
【００２０】
さらに、第２部位４３０Ｂは、図中右方から左方に向かう途中で進行方向が変化し、途中から、第１部位４３０Ａの終端３０Ｅに向かう。これにより、本実施形態では、第２部位４３０Ｂに、第１部位４３０Ａの終端３０Ｅに接近する接近部３０Ｇが設けられた構成となっている。
このように、終端３０Ｅと終端３０Ｆが接近しているのは、スコア線４３０が破断して開口片として缶内に曲げ入れられ開口が形成されるわけであるが、このとき、終端３０Ｅと３０Ｆが接近していない場合、開口片を缶内に曲げ入れ難くなる。そのため、終端３０Ｅと３０Ｆは接近することが望ましい。また、第２部位４３０Ｂは曲率を有し途中進行方向を変えて接近部３０Ｇを経由し終端３０Ｆで終了している。本例のような大きな開口を形成するには、破断すべきスコア線の長さが長いため、スコア線破断が一気に終端まで進行することが望ましくなる。本実施形態では、終端３０Ｆに向かうスコア線破断は第２部位４３０Ｂからの勢いを曲率で損なうことなく接近部３０Ｇに繋ぎ一気に終端３０Ｆへ到達するようになっている。
なお、図２では、第２部位４３０Ｂに対して接近部３０Ｇを設けることで、第２部位４３０Ｂは、途中に曲率を有し、進行方向を途中で変えて第１部位４３０Ａに対し向かうが、このような態様に限らず、第１部位４３０Ａおよび第２部位４３０Ｂの双方に対して曲率を付与するようにしてもよい。この場合は、第１部位４３０Ａおよび第２部位４３０Ｂのうちの一方の部位は、曲率を有し進行方向を途中で変えて他方の部位に対し向かい、また、他方の部位も、曲率を有し進行方向を途中で変えて一方の部位に対し向かう。なお、この場合は、図２において、中心線ＣＬにより近い側に、終端３０Ｅ、終端３０Ｆが位置するようになる。付言すると、図２では、中心線ＣＬよりも上方に終端３０Ｅ、終端３０Ｆが位置しているが、第１部位４３０Ａおよび第２部位４３０Ｂの双方に対して曲率を付与した場合には、例えば、中心線ＣＬよりも上方に終端３０Ｅが位置し、中心線ＣＬよりも下方に終端３０Ｆが位置するようになる。
【００２１】
第３部位４３０Ｃは、図１に示すように、第１部位４３０Ａと第２部位４３０Ｂとを接続するように形成されている。詳細には、第１部位４３０Ａの図中右端部１Ａと第２部位４３０Ｂの図中右端部１Ｂとを接続するように形成されている。付言すると、第３部位４３０Ｃは、タブ５００の先端部５１０側にて、第１部位４３０Ａと第２部位４３０Ｂとを接続するように形成されている。
【００２２】
さらに説明すると、第１部位４３０Ａおよび第２部位４３０Ｂの各々は、被操作部５０５側および先端部５１０側のそれぞれに端部を有しているが、本実施形態では、第１部位４３０Ａおよび第２部位４３０Ｂの各々が有する先端部５１０側の端部（右端部１Ａ、右端部１Ｂ）同士が、第３部位４３０Ｃによって接続されている。
また、この第３部位４３０Ｃには、曲率が付与され、図中右側に膨らむように形成されている。さらに、第３部位４３０Ｃは、タブ５００の外周縁５９５よりも外側を通過するように形成されている。さらに説明すると、第３部位４３０Ｃは、タブ５００の先端部５１０と、パネル４００の外周縁４１０との間を通過するように形成されている。
【００２３】
ここで、本実施形態では、図１に示すように、第１部位４３０Ａの終端３０Ｅ、および第２部位４３０Ｂの終端３０Ｆは、パネル４００の中心部ＣＰを通る仮想線ＫＬを挟んで相対する二つの領域のうちの一方の領域（図中、左側の領域）側に配置されている。
付言すると、タブ５００の中心線ＣＬ（タブ５００の長手方向に沿った中心線ＣＬ）に対して直交し且つパネル４００の中心部ＣＰを通る仮想線ＫＬを挟んで相対する二つの領域のうちの一方の領域側に配置されている。
【００２４】
さらに、本実施形態の第３部位４３０Ｃは、Ｕ字状に形成され、図中右方向に膨らみ、図中右端に、頂部３０Ｈを有している。この頂部３０Ｈは、仮想線ＫＬを挟んで相対する二つの領域の他方の領域（図中、右側の領域）に配置されている。
さらに説明すると、本実施形態では、図１に示すように、２つの終端３０Ｅ、３０Ｆが、タブ５００の被操作部５０５が位置する箇所に位置している（タブ５００の被操作部５０５の背後（裏側）に位置している）。付言すると、第１部位４３０Ａおよび第２部位４３０Ｂの各々は、タブ５００の先端部５１０側から被操作部５０５側に向かって進行し、最終的には、被操作部５０５の裏側まで達している。
【００２５】
なお、上記では説明を省略したが、図２に示すように、本実施形態では、パネル４００のうち、図中符号ＲＢで示す箇所（以下、「押圧箇所ＲＢ」と称する）が、タブ５００の先端部５１０により押圧される形となっている。ここで、この押圧箇所ＲＢは、Ｕ字状に形成された第３部位４３０Ｃの内側に位置している。さらに、この押圧箇所ＲＢは、第３部位４３０Ｃの頂部３０Ｈの近傍に位置している。
【００２６】
なお、本実施形態では、図２に示すように、第１部位４３０Ａの終端３０Ｅおよび第２部位４３０Ｂの終端３０Ｆが、カールしており、終端３０Ｅ，３０Ｆを超えてのパネル４００の破断が抑制されている。このようにカールをしておらず、直線状に形成されている場合、終端３０Ｅ，３０Ｆを超えた箇所にて、パネル４００が裂け、パネル４００の破断が生じるおそれがある。
【００２７】
さらに、本実施形態では、図２に示すように、第１部位４３０Ａの終端３０Ｅと、第２部位４３０Ｂの終端３０Ｆとが、互いに離れた状態で設けられており、これにより、終端３０Ｅと終端３０Ｆとの間に、スコア線４３０が形成されていない不連続部が設けられている。この不連続部が設けられることによって、後述する舌片部がパネル４００から離脱せず、舌片部がパネル４００に取り付いたままの状態となる。
【００２８】
なお、本実施形態では、タブ５００の中心線ＣＬ（図１も参照）は、図２に示すように、パネル４００の中心部ＣＰと、パネル４００に形成された突出部４２０とを通過する。さらに、上記では説明を省略したが、本実施形態では、中心線ＣＬを挟んだ図中上側の領域に、第１部位４３０Ａの終端３０Ｅ、および、第２部位４３０Ｂの終端３０Ｆが位置している。
【００２９】
図３の（Ａ）、（Ｂ）、（Ｃ）は、タブ５００が操作者により操作された際の各部の動きを示した図である。なお、（Ａ）、（Ｂ）、（Ｃ）の各図では、図中上側に、飲料缶１００を上方から眺めた場合の状態を示し、図中下側では、飲料缶１００の上部且つ内部の状態を、飲料缶１００の側方から眺めた場合を図示している。
【００３０】
操作者がタブ５００を操作するにあたっては、寝ている状態のタブ５００（図３（Ａ）参照）と、パネル４００の表面との間に、操作者の指が入れられ、タブ５００の被操作部５０５側が持ち上げられ、タブ５００の引き起こしが開始される。
【００３１】
タブ５００の引き起こしが開始されると、リベット９００を支点としてタブ５００が回転し、タブ５００の先端部５１０が、パネル４００を押圧する。具体的には、図２にて示した押圧箇所ＲＢを押圧する。これにより、スコア線４３０（図２参照）に設けられた第３部位４３０Ｃのうちの、頂部３０Ｈが位置するあたりにて、パネル４００の破断が開始される。これにより、まず、パネル４００のうち、第３部位４３０Ｃの内側に位置する部分であって、頂部３０Ｈの近傍に位置する部分が、図３（Ｂ）に示すように、飲料缶１００の内部に入り込む。
【００３２】
その後、操作者によって、飲料缶１００の内部へのタブ５００の押し込みが行われる。これにより、図３（Ｃ）に示すように、スコア線４３０のほぼ全域に亘ってパネル４００の破断が生じ、舌片状の部位（以下、「舌片部８９」と称する）が形成され、さらに、この舌片部８９が、飲料缶１００の内部に押し込まれる（パネル４００の裏面側に曲げられる）。そして、舌片部８９が飲料缶１００の内部に押し込まれると、図３（Ｃ）に示すように、飲料缶１００に開口１００Ｂが形成される。
【００３３】
ここで、本実施形態の構成では、上記のように、スコア線４３０の第１部位４３０Ａおよび第２部位４３０Ｂは、タブ５００の被操作部５０５まで達するように設けられている。このため、本実施形態では、形成される開口１００Ｂが大きいものとなる。付言すると、本実施形態では、パネル４００の半分ほどの領域が開口１００Ｂとなる。
【００３４】
ここで、例えば、飲料缶１００の直径を小さくした場合、通常、タブ５００および開口１００Ｂのそれぞれが小さくなり、タブ５００の操作性が低下し、さらに、内部の飲料も飲みにくくなる。本実施形態の構成では、飲料缶１００の直径が小さい場合であっても、タブ５００および開口１００Ｂが小さくなることが抑制され、タブ５００を操作しやすく、また、内部の飲料を飲みやすくなる。なお、本実施形態の構成は、小径の飲料缶１００に限らず、３５０ｍｌや５００ｍｌなどの既存の飲料缶に対しても適用でき、この場合、この既存の飲料缶に比べ、開口１００Ｂを大きくできる。
缶蓋の開口１００Ｂを大きくすることは、飲料缶にとって次のような効果がある。
まず、開口１００Ｂを大きくすることにより、飲料を抵抗なく飲むことが可能となる。これは、単に開口１００Ｂを大きくすることにより大量に吐出が可能となるということだけではない。例えば、開口１００Ｂの大きさが小さい場合、缶外への飲料の吐出と缶内への空気の補充が交互に起きる、脈動しながら吐出する現象が発生することがある。これは、飲用者にとって飲みにくいと感じる場合がある。しかし、開口１００Ｂを大きくすることにより開口１００Ｂの一部に缶外から缶内に空気を取り入れるスペースが確保でき、缶外への吐出と同時に空気を缶内に補充することができるようになる。そのため、飲用者にとって、流れ出てくるものを飲むような、自然な飲用が可能となる。
また、飲料物によっては、味だけでなく香りを楽しむことも重要な要素となる場合がある。本実施形態の場合、飲用時鼻先にまで開口が伸びているため、飲用中、舌で飲料の味を楽しむと同時に鼻で缶内の飲料の持つ香りも楽しむことができ、飲料のもつ２つのテイストである味と香りを同時に楽しむことができる飲料缶とすることができる。
【００３５】
また、本実施形態では、タブ５００の引き起こし操作の１モーションで開口１００Ｂが形成され、タブ５００を押し戻す必要がない。これにより、開口１００Ｂを形成する際に要するタブ５００の操作の簡略化が可能になる。既存の飲料缶では、通常、タブ５００を引き起こして開口を形成した後、このタブ５００を再び寝かし、元の状態にする必要がある。一方で、本実施形態では、タブ５００の引き起こし操作の１モーションで開口１００Ｂが形成されるようになる。
【００３６】
なお、上記では説明を省略したが、本実施形態では、操作者によるタブ５００の操作が終了すると（開口１００Ｂの形成が終了すると）、図３（Ｃ）（の下側の図）に示すように、タブ５００の被操作部５０５がパネル４００の表面から突出する。これにより、操作者の指が、開口１００Ｂを通じて飲料缶１００の内部に入り込み、内部の飲料にこの指が触れることが抑制される。付言すると、本実施形態では、パネル４００の裏面側への舌片部８９の曲げに伴い、パネル４００の表面側に位置するタブ５００も、パネル４００の裏面側へ移動するが、タブ５００の被操作部５０５については、パネル４００の裏面側へは移動せずに、パネル４００の表面側に留まるようになる。
【００３７】
ここで、タブ５００の操作の最終段階においては、タブ５００の被操作部５０５が操作者によって押されてタブ５００の押し込みが行われることが想定されるが、この際に、被操作部５０５が飲料缶１００の内部まで入り込むと、被操作部５０５とともに指が飲料缶１００の内部に入りやすくなる。本実施形態のように、タブ５００の被操作部５０５がパネル４００の表面から突出する構成であると、飲料缶１００の内部への指の入り込みが起きにくくなる。なお、タブ５００の被操作部５０５がパネル４００の表面から突出すると、突出しない場合に比べ、内部の飲料を飲みにくくなるおそれがあるが、本実施形態の構成では、突出量が小さくその影響は小さい。
【００３８】
また、他の構成として、タブ５００の全体が飲料缶１００の内部に入り込むようにしてもよい。この場合は、操作者の指が飲料缶１００の内部に入りやすくなるが、その一方で、この場合、パネル４００からのタブ５００の突出が無くなり、操作者は、内部の飲料を飲みやすくなる。
【００３９】
なお、タブ５００の全体を飲料缶１００の内部に入り込ませる場合は、図１において、被操作部５０５よりも図中左側の領域（図中矢印１Ｃで示す領域）に、終端３０Ｅ，３０Ｆを配置する。付言すると、被操作部５０５を超える箇所まで、第１部位４３０Ａおよび第２部位４３０Ｂを延ばし、この超える箇所に、スコア線４３０の終端３０Ｅ，３０Ｆを位置させる。
【００４０】
ここで、既存の飲料缶の場合、操作者はタブ５００の被操作部５０５を引き起こし、タブ５００の先端部５１０を飲料缶１００の内部に押し入れパネル４００に開口を形成させ、タブ５００を元の位置に戻した後、開口に口をつけ飲用する。このとき、操作者の唇や口ひげなどがタブ５００の先端部５１０に接触する場合があり、先端部５１０の材料のエッジ処理が不十分な場合、唇に痛みを感じたり、口ひげが絡まる可能性がある。しかし、本実施形態のように、タブ５００の先端部５１０が、飲料缶１００の内部に入り込む場合には、タブ５００の先端部５１０が、操作者の口に触れることが起きにくくなる。ここで、タブ５００の先端部５１０には、タブ５００の製造工程に起因する突起が存在し、タブ５００の先端部５１０が飲料缶１００の内部に入り込まない場合には、この突起が操作者の口に触れることがある。一方で、本実施形態の構成では、この突起が飲料缶１００の内部に入り、この突起が操作者の口に触れにくくなる。
また、前述したように既存の飲料缶の場合、飲用時タブ５００は元の位置に戻して飲用するが、このとき、タブ５００のリベット９００の周辺部が変形する場合があり、タブ５００を元の位置に戻しても、前記変形によりタブ５００はパネル４００から離れてしまい、タブ５００はパネル４００から浮き上がり、飲用時浮き上がったタブ５００が鼻先に接触し煩わしく感じる場合がある。一方、本実施形態の場合、タブ５００は飲料缶１００の内部に収納されるため、飲用時パネル４００上にタブ５００など鼻に触れるものはなくなり、鼻先の煩わしさを感じることなく飲用することができる。
【００４１】
図４、図５は、タブ５００の製造工程の一例を説明する図である。
タブ５００の製造工程の最終段階では、図４に示すように、タブ５００は、「ブランキング」とよばれる連結部６００を介して、枠となるタブスケルトン６１０に接続された状態となる。そして、タブ５００に対する加工が終了すると、タブ５００に形成された貫通孔５８０に対して、パネル４００に形成された突出部４２０（図２参照）が通され、次いで、この突出部４２０が押し潰される。これにより、パネル４００に対してタブ５００が固定される。同時に、タブ５００と連結部６００との境界にて、切断処理が実施され、タブ５００が、タブスケルトン６１０から分離する。
【００４２】
ここで、上記切断処理を実施すると、図５に示すように、タブ５００の先端部５１０に、連結部６００（図４参照）の一部が残り、タブ５００の先端部５１０に突起５９０が形成される。この突起５９０は折り曲げられるのであるが、操作者が、飲料を飲む際に、この突起５９０の一部が、操作者の口が触れることが極まれにある。一方で、本実施形態のように、タブ５００が飲料缶１００の内部に入り込む構成では、この突起５９０が飲料缶１００の内部に入るため、突起５９０が、操作者の口が触れることが起きにくくなる。
さらに説明すると、通常の、タブ５００の製造工程では、上記突起５９０を、金型などで押し潰す工程が設けられることが多いが、本実施形態のように、タブ５００が飲料缶１００の内部に入り込む構成では、この押し潰す工程を省略できる可能性がある。
【００４３】
図６は、缶蓋３００の他の構成例を示した図である。なお、同図（Ａ）は缶蓋３００の正面図であり、同図（Ｂ）は、同図（Ａ）の矢印ＶＩＢ方向から缶蓋３００を眺めた場合の図であり、同図（Ｃ）は、同図（Ａ）の矢印ＶＩＣ方向から缶蓋３００を眺めた場合の図である。
【００４４】
この構成例では、パネル４００のうちの、タブ５００により押圧される押圧箇所ＲＢに、タブ５００側に向かって突出した突起３８０が設けられている。この構成例では、押圧箇所ＲＢがタブ５００によって押圧される際、この突起３８０が押圧されるようになる。
これにより、突起３８０が設けられていない場合に比べ、スコア線４３０の第３部位４３０Ｃのうちの、より狭い領域に対して、荷重を集中的に作用させることができるようになる。そしてこの場合、第３部位４３０Ｃにおけるパネル４００の破断がより生じやすくなる。
【００４５】
図７は、缶蓋３００の他の構成例を示した図である。なお、同図（Ａ）は缶蓋３００の正面図であり、同図（Ｂ）は、同図（Ａ）の矢印ＶＩＩＢ方向から缶蓋３００を眺めた場合の図であり、同図（Ｃ）は、同図（Ａ）の矢印ＶＩＩＣ方向から缶蓋３００を眺めた場合の図である。
【００４６】
この構成例では、タブ５００の先端部５１０に突起５７０を設けた構成としている。付言すると、この構成例では、タブ５００の先端部５１０に且つパネル４００に対向する対向面側に、押圧箇所ＲＢに向かって突出した突起５７０が設けられている。この場合も、この突起５７０が設けられていない場合に比べ、スコア線４３０に設けられた第３部位４３０Ｃのうちの、より狭い領域に対して荷重を集中的に作用させることができるようになり、第３部位４３０Ｃにおけるパネル４００の破断がより生じやすくなる。
【００４７】
また、図示は省略するが、他の構成例として、パネル４００のうち、第３部位４３０Ｃが設けられている部分（パネル４００の破断が最初に起こる部分）の肉厚を、パネル４００の他の部分よりも小さくしてもよい。この場合も、スコア線４３０の第３部位４３０Ｃにおけるパネル４００の破断が生じやすくなる。
【００４８】
図８は、缶蓋３００の他の構成例を示した図である。
上記では、図１にて示したとおり、第２部位４３０Ｂが途中で曲がって上方へ向かい、第２部位４３０Ｂが、第１部位４３０Ａに接近する構成例（第２部位４３０Ｂに、接近部３０Ｇが設けられた構成例）を一例に説明したが、図８（Ａ）に示すように、第１部位４３０Ａが途中で曲がって図中下方へ向かい、第１部位４３０Ａに、接近部３０Ｇが設けられた構成としてもよい。
また、図８（Ｂ）に示すように、接近部３０Ｇを省略し、スコア線４３０の全体の形状を、Ｕ字状としてもよい。
【００４９】
さらに、図８（Ｃ）に示すように、スコア線４３０の全体の形状を、Ｕ字状とするとともに、第１部位４３０Ａの終端３０Ｅと、第２部位４３０Ｂの終端３０Ｆとの間に、パネル４００の剛性を低下させる剛性低下部３８５を設けるようにしてもよい。この場合、舌片部８９（図３（Ｃ）参照）の根元にて、舌片部８９が曲がりやすくなる。なお、剛性低下部３８５は、例えば、パネル４００に形成した溝により構成される。
【００５０】
また、図８（Ｄ）に示すように、スコア線４３０に加え、突出部４２０と押圧箇所ＲＢとの間を通るスコア線（以下、このスコア線を「第２スコア線４５０」と称する）を設けるようにしてもよい。この第２スコア線４５０は、突出部４２０の近傍から、タブ５００の中心線ＣＬが延びる方向と交差する方向に向かって進行し、スコア線４３０に接続される。
【００５１】
この構成例では、タブ５００が操作されると、図中符号８Ｘで示す部分にせん断力が作用し、第２スコア線４５０が設けられている部分にて、且つ、押圧箇所ＲＢと突出部４２０と間にて、パネル４００の破断が生じる。その後、スコア線４３０と第２スコア線４５０との接続部まで、パネル４００の破断が進行する。次いで、この接続部から第１部位４３０Ａの終端３０Ｅへのパネル４００の破断、接続部から第２部位４３０Ｂの終端３０Ｆへのパネル４００の破断が生じる。
【００５２】
図８（Ｅ）は、第２スコア線４５０を設ける一方で、接近部３０Ｇを省略した構成例を示している。この構成例では、Ｕ字状のスコア線４３０の内側に、第２スコア線４５０が設けられた形態となる。
図８（Ｆ）は、図８（Ｄ）にて示した構成の変形例を示したである。また、図８（Ｇ）は、図８（Ｅ）にて示した構成の変形例を示した図である。この図８（Ｆ）、（Ｇ）にて示す構成例では、第２スコア線４５０の配置位置を異ならせている。
【００５３】
具体的には、第２スコア線４５０を、タブ５００の中心線ＣＬに沿って配置している。付言すると、この構成例では、第２スコア線４５０が、突出部４２０の近傍から、第３部位４３０Ｃの頂部３０Ｈに向むかうように形成されている。さらに、この構成例では、第２スコア線４５０が、押圧箇所ＲＢを通過するように形成されている。
【００５４】
図８（Ｆ）、（Ｇ）に示す構成例では、タブ５００により、押圧箇所ＲＢが押圧されると、第２スコア線４５０のうちの、押圧箇所ＲＢと突出部４２０との間に位置する部位にて、パネル４００の破断が生じる。次いで、この破断は、第２スコア線４５０に沿って、第２スコア線４５０とスコア線４３０との接続部まで進行する。次いで、この接続部から、第１部位４３０Ａの終端３０Ｅに向かうパネル４００の破断、および、接続部から、第２部位４３０Ｂの終端３０Ｆに向かうパネル４００の破断が生じる。
【００５５】
（その他）
上記では、図２に示したとおり、タブ５００の固定に用いられる突出部４２０（リベット９００）が、パネル４００の中心部ＣＰからずれた構成例を説明したが、図９（缶蓋３００の他の構成例を示した図）に示すように、突出部４２０を、パネル４００の中心部ＣＰに設けてもよい。なお、図９にて示すこの構成は、突出部４２０の位置を除き、図２にて示した構成と同じ構成を有している。なお、図８にて示した各構成例においても、同様に、パネル４００の中心部ＣＰに突出部４２０を設けることができる。
【００５６】
また、上記では、例えば図１に示すように、タブ５００の被操作部５０５の裏側（背後）に位置する部分に、第１部位４３０Ａの終端３０Ｅ、第２部位４３０Ｂの終端３０Ｆが位置し、第１部位４３０Ａおよび第２部位４３０Ｂの各々が、タブ５００の被操作部５０５に達する構成を説明したが、図１０（缶蓋３００の他の構成例を示した図）に示すように、タブ５００の被操作部５０５の脇に、終端３０Ｅ，３０Ｆが位置し、タブ５００の被操作部５０５の脇に、第１部位４３０Ａ、第２部位４３０Ｂが達するようにしてもよい。
【００５７】
さらに、第１部位４３０Ａの終端３０Ｅの位置と、第２部位４３０Ｂの終端３０Ｆの位置とを異ならせてもよい。例えば、第１部位４３０Ａの終端３０Ｅを、タブ５００の被操作部５０５の裏側に配置し、第２部位４３０Ｂの終端３０Ｆを、図１０にて示したように、タブ５００の被操作部５０５の脇に配置することができる。なお、この逆でもよく、第１部位４３０Ａの終端３０Ｅを、タブ５００の被操作部５０５の脇に配置し、第２部位４３０Ｂの終端３０Ｆを、タブ５００の被操作部５０５の裏側に配置してもよい。
【００５８】
さらに、例えば、第１部位４３０Ａの終端３０Ｅ、および、第２部位４３０Ｂの終端３０Ｆの何れか一方を、タブ５００の被操作部５０５の裏側又は脇に配置し、他方を、タブ５００の被操作部５０５を超える箇所（図１にて、矢印１Ｃで示した領域）に配置してもよい。
【符号の説明】
【００５９】
８９…舌片部、１００…飲料缶、２００…容器本体（缶胴）、３００…缶蓋、３８０…突起、４００…パネル、４３０…スコア線、４３０Ａ…第１部位、４３０Ｂ…第２部位、５００…タブ、５０５…被操作部、５１０…先端部、５７０…突起、５９５…外周縁、９００…リベット、ＲＢ…押圧箇所
【図１】
2016000621.tif 000003
【図２】
2016000621.tif 000004
【図３】
2016000621.tif 000005
【図４】
2016000621.tif 000006
【図５】
2016000621.tif 000007
【図６】
2016000621.tif 000008
【図７】
2016000621.tif 000009
【図８】
2016000621.tif 000010
【図９】
2016000621.tif 000011
【図１０】
2016000621.tif 000012
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
缶胴の開口に取り付けられるパネルと、
一端部および他端部を有し、当該一端部と当該他端部との間に位置する部位がリベットによって前記パネルに固定され、当該パネルの予め定められた押圧箇所を当該他端部で押圧するタブと、
前記パネルに形成されたスコア線であって、前記タブの一方の脇を通って当該タブの前記一端部側に向かう第１の部位と、当該タブの他方の脇を通って当該タブの当該一端部側に向かう第２の部位と、当該タブの前記他端部側にて当該第１の部位と当該第２の部位とを接続し且つ当該タブの外周縁の外側を通過するように形成された第３の部位と、を有するスコア線と、
を備え、
前記一端部側に向かう前記第１の部位および前記第２の部位の各々は、当該一端部を超える箇所、当該一端部が位置する箇所、および、当該一端部の脇に位置する箇所の何れかまで達するように形成されていることを特徴とする缶蓋。
【請求項２】
前記第１の部位および前記第２の部位のうちの一方の部位は、曲率を有し進行方向を途中で変えて他方の部位に対し向かうように形成され、
又は、
前記第１の部位および前記第２の部位のうちの一方の部位は、曲率を有し進行方向を途中で変えて他方の部位に対し向かうように形成され、当該他方の部位も、曲率を有し進行方向を途中で変えて当該一方の部位に対し向かうように形成されていることを特徴とする請求項１に記載の缶蓋。
【請求項３】
前記タブは、前記パネルの一方の面および他方の面のうちの当該一方の面側に取り付けられ、
前記スコア線における前記パネルの破断によって、当該パネルの一部により構成され且つ舌片状に形成された舌片状部位が生じ、
前記舌片状部位は、操作者による前記タブの操作により、前記パネルの前記他方の面側に曲げられ、
前記タブは、前記舌片状部位とともに移動し、前記パネルの他方の面側に移動することを特徴とする請求項１に記載の缶蓋。
【請求項４】
前記タブは、前記パネルの一方の面および他方の面のうちの当該一方の面側に取り付けられ、
前記スコア線における前記パネルの破断によって、当該パネルの一部により構成され且つ舌片状に形成された舌片状部位が生じ、
前記舌片状部位は、操作者によって前記タブが前記他方の面側へ押し込まれることで、当該他方の面側へ曲げられ、
前記タブは、前記舌片状部位とともに移動し、前記パネルの他方の面側に移動することを特徴とする請求項１に記載の缶蓋。
【請求項５】
前記パネルの前記他方の面側に前記タブが移動した状態において、当該タブの前記一端部は、当該他方の面側に位置せずに前記一方の面側に位置することを特徴とする請求項３又は４に記載の缶蓋。
【請求項６】
前記パネルの前記押圧箇所には、前記タブ側に向かって突出した突起が設けられていることを特徴とする請求項１乃至５の何れかに記載の缶蓋。
【請求項７】
前記タブの前記他端部には、前記パネル側に向かって突出した突起が設けられていることを特徴とする請求項１乃至５の何れかに記載の缶蓋。
【請求項８】
前記パネルのうち、前記スコア線の前記第３の部位が設けられている箇所は、当該パネルの他の箇所よりも肉厚が小さくなっていることを特徴とする請求項１乃至７の何れかに記載の缶蓋。
【請求項９】
前記パネルの前記押圧箇所と、前記リベットとの間を通過するように形成され、且つ、前記スコア線に接続された第２のスコア線を更に備えることを特徴とする請求項１乃至８の何れかに記載の缶蓋。
【請求項１０】
飲料が収容される缶胴と、当該缶胴の開口に取り付けられる缶蓋と、を備え、
前記缶蓋は、
前記缶胴の開口に取り付けられるパネルと、
一端部および他端部を有し、当該一端部と当該他端部との間に位置する部位がリベットによって前記パネルに固定され、当該パネルの予め定められた押圧箇所を当該他端部で押圧するタブと、
前記パネルに形成されたスコア線であって、前記タブの一方の脇を通って当該タブの前記一端部側に向かう第１の部位と、当該タブの他方の脇を通って当該タブの当該一端部側に向かう第２の部位と、当該タブの前記他端部側にて当該第１の部位と当該第２の部位とを接続し且つ当該タブの外周縁の外側を通過するように形成された第３の部位と、を有するスコア線と、
を備え、
前記一端部側に向かう前記第１の部位および前記第２の部位の各々は、当該一端部を超える箇所、当該一端部が位置する箇所、および、当該一端部の脇に位置する箇所の何れかまで達するように形成されていることを特徴とする飲料缶。
【請求項１１】
前記スコア線における前記パネルの破断によって、当該パネルの一部により構成され且つ舌片状に形成された舌片状部位が生じ、
前記舌片状部位は、操作者による前記タブの操作により、前記飲料缶の内部に入り込み、
前記タブは、前記舌片状部位とともに移動し、前記飲料缶の内部に入り込むことを特徴とする請求項１０に記載の飲料缶。
【請求項１２】
前記スコア線における前記パネルの破断によって、当該パネルの一部により構成され且つ舌片状に形成された舌片状部位が生じ、
前記舌片状部位は、操作者によって前記タブが前記飲料缶の内部へ押し込まれることで、当該飲料缶の内部に入り込み、
前記タブは、前記舌片状部位とともに移動し、前記飲料缶の内部に入り込むことを特徴とする請求項１０に記載の飲料缶。
【請求項１３】
前記飲料缶の内部に前記タブが入り込んだ状態において、当該タブの前記一端部は、当該飲料缶の内部に入り込まずに当該飲料缶の外部に位置することを特徴とする請求項１１又は１２に記載の飲料缶。